(57)【要約】【課題】木質化粧材が腐食し難い、浴室の壁パネル及び浴室構造を提供する。【解決手段】浴室８の壁パネル１は、木質材で形成され表面を構成する木質化粧材１１と、木質化粧材１１の裏側に配置され木質化粧材１１と連結する下地材１２と、を備える。木質化粧材１１と下地材１２の間には、通気通路１４が形成されることを特徴とする。【選択図】図１
2015203191.tif 000002
【特許請求の範囲】
【請求項１】
木質材で形成され表面を構成する木質化粧材と、前記木質化粧材の裏側に配置され前記木質化粧材と連結する下地材と、を備え、
前記木質化粧材と前記下地材の間には、通気通路が形成されることを特徴とする浴室の壁パネル。
【請求項２】
前記木質化粧材は上下方向に複数並設され、
前記下地材には、前記木質化粧材に向かって突出する受け部が設けられ、
上下方向の中間部に配置される前記木質化粧材は前記受け部に固定され、
上端部に配置される前記木質化粧材の裏面には、前記受け部に着脱自在に連結される第一連結部が設けられ、
下端部に配置される前記木質化粧材の裏面には、前記受け部に着脱自在に連結される第二連結部が設けられることを特徴とする請求項１に記載の浴室の壁パネル。
【請求項３】
請求項１又は請求項２に記載の浴室の壁パネルが取付けられる浴室構造であって、
洗い場と、前記洗い場の上縁部に取付けられるスペーサーと、前記スペーサーに載置される複数の壁パネルと、を備え、
前記壁パネルの下端と前記洗い場の上縁部との間には、前記スペーサーにより通気隙間が形成され、
前記通気隙間と前記通気通路が連通することを特徴とする浴室構造。
【請求項４】
前記壁パネルの下端部と前記洗い場の上縁部が接続される下側ジョイント部材を備え、
前記下側ジョイント部材は、前記壁パネルを載置し前記スペーサーとなる載置部を有し、
前記壁パネルの下端と前記洗い場の上縁部の間には、前記載置部により、前記通気隙間が形成されることを特徴とする請求項３に記載の浴室構造。
【発明の詳細な説明】
【技術分野】
【０００１】
本発明は、浴室の壁パネル及びこれが取付けられた浴室構造に関するものである。
【背景技術】
【０００２】
従来、洗い場と浴槽の周縁部に取付けられる複数の壁パネルが、下地材と、下地材に上下方向に複数並設して固定される木質化粧材と、を備えたものが知られている（例えば特許文献１参照）。
【先行技術文献】
【特許文献】
【０００３】
【特許文献１】特開平５−９１９５３号公報
【発明の概要】
【発明が解決しようとする課題】
【０００４】
特許文献１に記載されている発明の下地材には、木質化粧材が密着して固定されていた。このとき、木質化粧材を乾燥させると、木質化粧材の表面側は乾燥され易いが、木質化粧材の裏面は乾燥され難いため、木質化粧材の裏側は腐食してしまい易かった。
【０００５】
本発明は上記従来の問題点に鑑みて発明したものであって、その目的とするところは、木質化粧材が腐食し難い、浴室の壁パネル及びこれが取付けられた浴室構造を提供することを課題とするものである。
【課題を解決するための手段】
【０００６】
上記課題を解決するために、本発明は、以下のような構成とする。
【０００７】
木質材で形成され表面を構成する木質化粧材と、前記木質化粧材の裏側に配置され前記木質化粧材と連結する下地材と、を備え、前記木質化粧材と前記下地材の間には、通気通路が形成されることを特徴とする。
【０００８】
上記した構成の壁パネルが取付けられる浴室構造であって、洗い場と、前記洗い場の上縁部に取付けられるスペーサーと、前記スペーサーに載置される複数の壁パネルと、を備え、前記壁パネルの下端と前記洗い場の上縁部との間には、前記スペーサーにより通気隙間が形成され、前記通気隙間と前記通気通路が連通することを特徴とする。
【発明の効果】
【０００９】
本発明の浴室の壁パネルでは、下地材と木質化粧材の間に通気通路が形成され、木質化粧材の表面側だけでなく裏面側も乾燥させることができるので、木質化粧材は腐食し難くなる。
【００１０】
本発明の浴室構造では、浴室内部と浴室外部が、通気隙間と通気通路を介して連通し、木質化粧材は表面側だけでなく裏面側も乾燥させることができるので、木質化粧材は腐食し難くなる。
【図面の簡単な説明】
【００１１】
【図１】図１Ａは本実施形態の壁パネルの斜視図であり、図１Ｂは本実施形態の壁パネルの側面図である。
【図２】本実施形態の壁パネルの部分平面図である。
【図３】本実施形態の浴室構造の斜視図である。
【図４】本実施形態の浴室構造の分解斜視図である。
【図５】本実施形態の壁パネル同士を連結させたときの参考図である。
【発明を実施するための形態】
【００１２】
以下、本発明を添付図面に示す実施形態に基いて説明する。
【００１３】
浴室８は、洗い場２と、洗い場２の周縁部に取付けられる複数の壁パネル１と、複数の壁パネル１の上端に連結される天井（図示せず）と、を備える。
【００１４】
本実施形態では、使用者が洗い場２から壁パネル１を視て、右手側を右方向とし、左手側を左方向とする。また、壁パネル１から洗い場２に向かう方向を前方向とし、洗い場２から壁パネル１に向かう方向を後方向とする。
【００１５】
壁パネル１は、本実施形態では、図１Ａ，Ｂに示すように、木質材で形成され表面を構成する木質化粧材１１と、木質化粧材１１の裏側に配置され木質化粧材１１と連結する下地材１２と、を備える。ここで、木質材とは、木材を構成要素に分解し再構成した木質材料（例えばパーティクルボード）と、木材を必要な寸法に切り出した無垢材と、を含むものである。本実施形態では木質材として無垢材が好適に用いられるが、特に限定されない。
【００１６】
下地材１２には、例えば珪酸カルシウム板を用いることが考えられるが、特に限定されない。下地材１２は、正面視矩形状をした板となっている。
【００１７】
下地材１２の前面には、図２に示すように、木質化粧材１１に向かって突出する受け部１３が設けられる。受け部１３は、下地材１２とは別体で設けられ固定具１３ｂを用いて下地材１２に固定されるが、受け部１３は下地材１２に接着剤で接着されてもよく、特に限定されない。固定具１３ｂは、例えば螺子や釘といったものが挙げられるが、特に限定されない。受け部１３は、下地材１２の上下方向の全長に亘って設けられる。受け部１３は、本実施形態では、下地材１２の左右方向の中間部に二条設けられているが、その数は限定されない。
【００１８】
受け部１３は、平面視で左右方向に細長い六角形状となっているが、その形状は限定されない。受け部１３の両端部には、受け部１３の右側の端部では右方に張出し、受け部１３の左側の端部では左方に張出した、張出し部１３ａが設けられる。張出し部１３ａは、平面視略三角形状をしているが、その形状は限定されない。
【００１９】
木質化粧材１１は、図１Ａ，Ｂに示すように、壁パネル１の上下方向の全長に亘って複数並設される。夫々の木質化粧材１１は、隙間が生じないように密着しており、木質化粧材１１同士の隙間から後述する通気通路１４に湯水が浸入しないように構成される。木質化粧材１１は、正面視略矩形状をしているが、その形状は特に限定されない。
【００２０】
壁パネル１の上端部に配置される木質化粧材１１の裏面には、本実施形態では、図１Ａ，図１Ｂ，図２に示すように、受け部１３に着脱自在に連結される第一連結部６が設けられることが好ましい。第一連結部６は複数の木質化粧材１１に亘って取付けられてもよいが、一つの木質化粧材１１のみに取付けられてもよく、特に限定されない。
【００２１】
第一連結部６は、木質化粧材１１と接する板状の基材６１と、受け部１３を挟み込む挟持部６２と、基材６１と挟持部６２を木質化粧材１１に固定する固定具６３と、を有する。挟持部６２は、平面視略Ｃ字状をしているが、その形状は限定されない。挟持部６２は後方向に開口を有し、その開口から受け部１３が挿入され奥まで押し込まれることにより、挟持部６２が受け部１３を挟持し木質化粧材１１と下地材１２とが連結される。
【００２２】
挟持部６２の両端部には、張出し部１３ａを挟持する一対の挟持爪６２ａが設けられる。一方の挟持爪６２ａは、木質化粧材１１側の端部から前後方向の中央部分に行く程他方側とは反対側に位置するように傾斜し、前後方向の中央部分から下地材１２側の端部に行く程他方側に位置するように傾斜する。他方の挟持爪６２ａは、木質化粧材１１側の端部から前後方向の中央部分に行く程一方側とは反対側に位置するように傾斜し、前後方向の中央部分から下地材１２側の端部に行く程一方側に位置するように傾斜する。
【００２３】
壁パネル１の上下方向の下端部に配置される木質化粧材１１の裏面には、本実施形態では、受け部１３に着脱自在に連結される第二連結部７が設けられることが好ましい。第二連結部７は複数の木質化粧材１１に亘って取付けられてもよいが、一つの木質化粧材１１のみに取付けられてもよく、特に限定されない。また、第二連結部７は、本実施形態では第一連結部６と同形状であってもよいし、異なる形状であってもよい。
【００２４】
壁パネル１の上端部と下端部に配置される木質化粧材１１は腐食し易い。従って、上端部と下端部の木質化粧材１１が下地材１２の受け部１３に着脱自在に連結されることにより、作業者が腐食した木質化粧材１１を容易に交換することができる。
【００２５】
壁パネル１の上下方向の中間部に配置される木質化粧材１１は、本実施形態では、固定具や接着剤等により受け部１３に取外し難いように固定される。このとき、中間部に配置される木質化粧材１１の前面は、上端部と下端部に配置される木質化粧材１１の前面よりも、基材６１の厚みの分だけ後方に位置する。そのため、中間部に配置される木質化粧材１１の後面には、受け部１３に対応する位置に、基材６１と略等しい厚みを有する調整材１１ａが取付けられることが好ましい。これにより、中間部に配置される木質化粧材１１の上面は、上端部と下端部に配置される木質化粧材１１の上面の位置と略等しい位置に配置される。なお、中間部に配置される木質化粧材１１は、受け部１３に着脱自在に連結されてもよい。
【００２６】
木質化粧材１１と下地材１２との間には、本実施形態では、図１Ａに示すように、通気通路１４が形成される。通気通路１４は、木質化粧材１１と下地材１２との間で、受け部１３が設けられる部分以外の空間に形成される。通気通路１４の前後方向の長さは、本実施形態では、受け部１３の突出高さと、第一連結部６及び第二連結部７の前後方向の長さと、により決定される。
【００２７】
上記した構成の浴室８の壁パネル１では、下地材１２と木質化粧材１１の間に通気通路１４が形成され、木質化粧材１１の表面側だけでなく裏面側も乾燥させることができるので、木質化粧材１１は腐食し難くなる。また、木質化粧材１１の表面側と裏面側の含水率の偏りを抑制することができるので、木質化粧材１１の反りや割れを防止することができる。
【００２８】
洗い場２は、図３，４に示すように、床パン２１と、床パン２１の周縁部で浴槽と隣接する端部以外から起立する起立片２２と、起立片２２から後方に向かって設けられる当接片２３と、当接片２３から上方に向かって突出する突出片２４と、を有する。
【００２９】
浴室８は、壁パネル１の下端部と洗い場２の上縁部を接続するための下側ジョイント部材３を備える。下側ジョイント部材３は、本実施形態では、壁パネル１の下端部に複数取付けられる。下側ジョイント部材３は、下地材１２の受け部１３に隣接して取付けられるのが好ましい。なお、下側ジョイント部材３は、壁パネル１の下端部に一つのみ取付けられてもよく、その数は特に限定されない。下側ジョイント部材３は、突出片２４に引掛けるための引掛け部３１と、壁パネル１を載置しスペーサーとなる載置部３２と、壁パネル１の下地材１２の下端部を固定するための固定部３３と、を有する。
【００３０】
引掛け部３１は、図３，４に示すように、側面視Ｕ字状となっている。引掛け部３１には、洗い場２の突出片２４が挿入される挿入溝３１ａが形成される。引掛け部３１の後側の側壁の上下方向の長さは、引掛け部３１の前側の側壁の上下方向の長さより長く形成されることが好ましい。これにより、下側ジョイント部材３が突出片２４から外れ難くなる。
【００３１】
載置部３２は、引掛け部３１の前側の側壁の下端から前方に突出して設けられる。載置部３２は、洗い場２の当接片２３と当接する。載置部３２の上面の後端部には、下地材１２の下端が載置される。そして、載置部３２の上面の前端部には、壁パネル１の下端部に配置される木質化粧材１１が載置される。載置部３２は、壁パネル１の下端と当接片２３との間に配置される。これにより、壁パネル１と当接片２３との間に通気隙間１５が形成される。そして、通気隙間１５は、浴室８内の空間と通気通路１４を連通する。
【００３２】
載置部３２の上面の中間部には、上方に向かって突出する固定部３３が設けられる。そして、固定部３３と引掛け部３１の前側の側壁との間には、下地材１２の下端部が嵌め込まれる下側嵌め込み溝３４が形成される。固定部３３には、下側嵌め込み溝３４に嵌め込まれた下地材１２の下端部を固定するための固定具３３ｂが挿通される挿通孔３３ａが形成される。
【００３３】
なお、洗い場２の上縁部と壁パネル１との接続の構造は上記したものに限られず、壁パネル１の下端と当接片２３との間に板状のスペーサーを配置し、壁パネル１の下端を突出片２４に固定具３３ｂにより直接固定してもよい。このとき、スペーサーにより、壁パネル１の下端と当接片２３との間には通気隙間１５が形成される。
【００３４】
浴室８は、壁パネル１の上端部と天井を接続するための上側ジョイント部材４を備える。上側ジョイント部材４は、壁パネル１の上端部に一つ取付けられる。上側ジョイント部材４は、下地材１２の上端部が嵌め込まれる嵌め込み部４１と、木質化粧材１１を上方から押える押え部４２と、木質化粧材１１を後方から支持する支持部４３と、を有する。また、上側ジョイント部材４は、押え部４２の上面から上方に突出し、天井が掛止される掛止部４４を有する。
【００３５】
嵌め込み部４１は、図３，４に示すように、側面視Ｕ字状となっている。嵌め込み部４１には、下地材１２の上端部が嵌め込まれる上側嵌め込み溝４１ａが形成される。
【００３６】
押え部４２は、嵌め込み部４１の前側の側壁の上端から前方に突出して設けられる。押え部４２の前端部は、木質化粧材１１の上端面と当接する。押え部４２の前端面と木質化粧材１１の表面とは、面一に設けられることが好ましい。
【００３７】
支持部４３は、押え部４２の中間部で、木質化粧材１１の裏面と当接する位置に配置される。支持部４３と嵌め込み部４１の前側の側壁との間には、隙間が形成される。
【００３８】
押え部４２には、支持部４３と嵌め込み部４１の前側の側壁との間に、上下方向に貫通する通気孔４２ａが形成される。通気孔４２ａは、押え部４２の左右方向に複数並んで設けられる。通気孔４２ａは、通気通路１４と浴室８外との空間を連通する。
【００３９】
掛止部４４は、押え部４２の上端面で支持部４３と押え部４２の前端との間に設けられる。天井は、掛止部４４に上方から被せられることにより掛止される。
【００４０】
壁パネル１の両側端部には、下地材１２に固定具５１ａにより固定される横フレーム５１が取付けられる。複数の壁パネル１同士は、例えば図５に示すように、目地材５２により連結されてもよい。目地材５２は、第一の壁パネル１の横フレーム５１が取付けられる第一の取付け部５２ａと、第一の壁パネル１に隣接する第二の壁パネル１の横フレーム５１が取付けられる第二の取付け部５２ｂと、を有する。
【００４１】
上記した構成の壁パネル１の浴室８への取付け方法を以下に示す。
【００４２】
作業者は、下地材１２を下側嵌め込み溝３４に嵌め込んだときに下側ジョイント部材３の側端面と受け部１３の側端面とが隣接するように、洗い場２の突出片２４に複数の下側ジョイント部材３を取付ける。作業者は、下地材１２を下側嵌め込み溝３４に嵌め込む。作業者は、固定部３３の挿通孔３３ａに固定具３３ｂを挿通させ、下地材１２を下側ジョイント部材３に固定する。作業者は、下地材１２と洗い場２の上縁部との間の隙間に止水のためにコーキングを行う。
【００４３】
作業者は、下地材１２の受け部１３の下端部と第二連結部７を固定した木質化粧材１１を連結する。作業者は、下地材１２の受け部１３の中間部に調整材１１ａを取付けた木質化粧材１１を固定する。作業者は、下地材１２の受け部１３の上端部と第一連結部６を固定した木質化粧材１１を連結する。
【００４４】
作業者は、下地材１２の両側端部に横フレーム５１を固定具５１ａにより固定する。
【００４５】
作業者は、上側ジョイント部材４の上側嵌め込み溝４１ａに下地材１２の上端部を嵌め込み、支持部４３と押え部４２の前端部とが木質化粧材１１と当接するように、壁パネル１の上端部に上側ジョイント部材４を取付ける。
【００４６】
作業者は、横フレーム５１に目地材５２を嵌め込み、全ての壁パネル１に上記した作業を行い、壁パネル１を浴室８に取付ける。そして、作業者は、掛止部４４に天井が掛止されるように、天井を上側ジョイント部材４に取付ける。
【００４７】
なお、浴室８は浴槽を備えていてもよい。このとき、浴槽のフランジ部の上縁部に下側ジョイント部材３を取付けて、その後は上記した取付け作業を行うことで浴室８の浴槽部分に壁パネル１を取付けることができる。
【００４８】
上記した構造の浴室８では、浴室８内部と浴室８外部が、通気隙間１５と通気通路１４と通気孔４２ａを介して連通している。従って、壁パネル１の木質化粧材１１は、表面側だけでなく裏面側も乾燥させることができるので、木質化粧材１１は腐食し難くなる。このとき、木質化粧材１１の表面側と裏面側の含水率の偏りを抑制することができ、木質化粧材１１の反りや割れを防止することができる。更に、木質化粧材１１の表面側だけでなく裏面側も乾燥させることができるので、浴室８内に浴室乾燥機を設置し、浴室乾燥機により浴室８内を乾燥させることができる。
【００４９】
以下に本実施形態の浴室８の壁パネル１の構成について記載する。
【００５０】
浴室８の壁パネル１は、木質材で形成され表面を構成する木質化粧材１１と、木質化粧材１１の裏側に配置され木質化粧材１１と連結する下地材１２と、を備える。木質化粧材１１と下地材１２の間には、通気通路１４が形成されることを特徴とする。
【００５１】
これにより、下地材１２と木質化粧材１１の間に通気通路１４が形成され、木質化粧材１１の表面側だけでなく裏面側も乾燥させることができるので、木質化粧材１１は腐食し難くなる。
【００５２】
また、木質化粧材１１は上下方向に複数並設される。下地材１２には、木質化粧材１１に向かって突出する受け部１３が設けられる。上下方向の中間部に配置される木質化粧材１１は受け部１３に固定される。上端部に配置される木質化粧材１１の裏面には、受け部１３に着脱自在に連結される第一連結部６が設けられる。下端部に配置される木質化粧材１１の裏面には、受け部１３に着脱自在に連結される第二連結部７が設けられることが好ましい。
【００５３】
これにより、作業者が腐食し易い上端部と下端部の木質化粧材１１を容易に交換することができる。
【００５４】
以下に本実施形態の浴室構造の構成について記載する。
【００５５】
浴室８の壁パネル１が取付けられる浴室構造である。浴室８は、洗い場２と、洗い場２の上縁部に取付けられるスペーサーと、スペーサーに載置される複数の壁パネル１と、を備える。壁パネル１の下端と洗い場２の上縁部との間には、スペーサーにより通気隙間１５が形成され、通気隙間１５と通気通路１４が連通することを特徴とする。
【００５６】
これにより、浴室８内部と浴室８外部が、通気隙間１５と通気通路１４を介して連通し、木質化粧材１１は表面側だけでなく裏面側も乾燥させることができるので、木質化粧材１１は腐食し難くなる。
【００５７】
また、浴室８は、壁パネル１の下端部と洗い場２の上縁部が接続される下側ジョイント部材３を備える。下側ジョイント部材３は、壁パネル１を載置しスペーサーとなる載置部３２を有する。壁パネル１の下端と洗い場２の上縁部の間には、載置部３２により、通気隙間１５が形成されることが好ましい。
【００５８】
このように、下側ジョイント部材３は壁パネル１と洗い場２の上縁部を接続し、且つ壁パネル１の下端と洗い場２の当接片２３との間に隙間を形成するスペーサーとして機能することができる。
【符号の説明】
【００５９】
１    壁パネル
１１  木質化粧材
１２  下地材
１３  受け部
１４  通気通路
１５  通気隙間
２    洗い場
３    下側ジョイント部材
４    上側ジョイント部材
６    第一連結部
７    第二連結部
８    浴室
【図１】
2015203191.tif 000003
【図２】
2015203191.tif 000004
【図３】
2015203191.tif 000005
【図４】
2015203191.tif 000006
【図５】
2015203191.tif 000007